(57)【要約】【課題】  刈取部やフィーダ入り口部分の塵埃を効果的に集塵できる普通型コンバインを提供すること。【解決手段】  作物を刈り取る刈取部８を備え、刈り取ったものを脱穀装置３に供給するフィーダ６を前記刈取部８の後方に備えるとともに、前記刈取部８に塵埃を吸入する吸入口３４ＩＮを備え、この吸入口３４ＩＮにおいて吸入した塵埃を前記脱穀装置３に送り込むダクト３４を、前記吸入口３４ＩＮと前記脱穀装置３とに亘って備えてある普通型コンバインを構成した。【選択図】        図６
2005218392.tif 000002
【特許請求の範囲】
【請求項１】
作物を刈り取る刈取部を備え、刈り取ったものを脱穀装置に供給するフィーダを前記刈取部の後方に備えるとともに、
前記刈取部に塵埃を吸入する吸入口を備え、この吸入口において吸入した塵埃を前記脱穀装置に送り込むダクトを、前記吸入口と前記脱穀装置とに亘って備えてある普通型コンバイン。
【請求項２】
作物を刈り取る刈取部を備え、刈り取ったものを脱穀装置に供給するフィーダを前記刈取部の後方に備えるとともに、
前記刈取部に塵埃を吸入する吸入口を備え、この吸入口において吸入した塵埃を前記フィーダに送り込み、前記フィーダを介して前記脱穀装置に送り込むように構成してある普通型コンバイン。
【請求項３】
作物を刈り取る刈取部を備え、刈り取ったものを脱穀装置に供給するフィーダを前記刈取部の後方に備えるとともに、
前記フィーダの外壁を二重に構成し、前記フィーダの前端に塵埃を吸入する吸入口を備え、この吸入口において吸入した塵埃を前記外壁の間に送り込み、前記外壁を介して前記脱穀装置に送り込むように構成してある普通型コンバイン。
【発明の詳細な説明】
【技術分野】
【０００１】
本発明は、作物を刈り取る刈取部を備え、刈り取ったものを脱穀装置に供給するフィーダを刈取部の後方に備えた普通型コンバインに関する。
【背景技術】
【０００２】
従来、この種の普通型コンバインでは、刈取部で刈り取った作物がフィーダに供給される時点で、フィーダの入り口付近に塵埃が立ち込め、作業に支障が出る場合があった（例えば、塵埃によって前方の視界が遮られることがあった）。このような問題に対しては、例えば、特許文献１に記載された構成により対策を施したものがある。すわなち、フィーダの上面において吸塵ファンを設けてフィーダ内部の空気を吸引することでフィーダ内及びフィーダ入り口付近の塵埃を吸引し、フィーダの左側下方に吸引した塵埃を排出するように構成されたものがある。
【特許文献１】特開２００２−３４５３２０号公報（図４）
【発明の開示】
【発明が解決しようとする課題】
【０００３】
上記特許文献１のような構成であると、一旦吸引された塵埃が機体前方側において圃場に排出されるため、機体の走行とともに塵埃が再び舞い上がって、結果的に集塵効果が低減してしまうという問題があった。
【０００４】
そこで、本発明は上記事情に鑑み、刈取部やフィーダ入り口部分の塵埃を効果的に集塵できる普通型コンバインを提供することを目的としている。
【課題を解決するための手段】
【０００５】
［Ｉ］
（構成）
本発明の第１特徴は、作物を刈り取る刈取部を備え、刈り取ったものを脱穀装置に供給するフィーダを刈取部の後方に備える普通型コンバインにおいて次のように構成することにある。
刈取部に塵埃を吸入する吸入口を備え、この吸入口において吸入した塵埃を脱穀装置に送り込むダクトを、吸入口と脱穀装置とに亘って備えてある。
【０００６】
（作用）
本発明の第１特徴によると、吸入口と脱穀装置とに亘ってダクトを備えているので、一旦、吸入口に吸入された塵埃を、脱穀装置まで移送することができ、塵埃は機体の前方側には排出されずに、脱穀装置を介して機体の後方に排出される。したがって、吸入された塵埃が機体前方側で再び舞い上がるおそれが低減する。
【０００７】
（効果）
本発明の第１特徴によると、吸入された塵埃が機体前方側で再び舞い上がるおそれが低減するので、塵埃によって前方の視界が遮られることが少なくなり、作業性が向上する。
【０００８】
［ＩＩ］
（構成）
本発明の第２特徴は、作物を刈り取る刈取部を備え、刈り取ったものを脱穀装置に供給するフィーダを刈取部の後方に備える普通型コンバインにおいて次のように構成することにある。
刈取部に塵埃を吸入する吸入口を備え、この吸入口において吸入した塵埃をフィーダに送り込み、フィーダを介して脱穀装置に送り込むように構成してある。
【０００９】
（作用）
本発明の第２特徴によると、吸入口に吸入された塵埃を、フィーダを介して脱穀装置に送り込むように構成してあるので、一旦、吸入口に吸入された塵埃を、フィーダを介して脱穀装置まで移送することができ、塵埃は機体の前方側に排出されずに、脱穀装置を介して機体の後方に排出される。したがって、吸入された塵埃が機体前方側で再び舞い上がるおそれが低減する。
また、吸入口に吸入された塵埃を、フィーダを介して脱穀装置に送り込むように構成してあるので、吸入された塵埃を脱穀装置まで移送するための構成を新たに設ける必要がない。
【００１０】
（効果）
本発明の第２特徴によると、吸入された塵埃が機体前方側で再び舞い上がるおそれが低減することになるので、塵埃によって前方の視界が遮られることが少なくなり、作業性が向上する。
また、本発明の第２特徴によると、吸入された塵埃を脱穀装置まで移送するための構成を新たに設ける必要がないので、部品点数の低減が図られ、構成の簡素化による設計効率の向上及びコスト上昇の抑制が図られる。
【００１１】
［ＩＩＩ］
（構成）
本発明の第３特徴は、作物を刈り取る刈取部を備え、刈り取ったものを脱穀装置に供給するフィーダを刈取部の後方に備える普通型コンバインにおいて次のように構成することにある。
フィーダの外壁を二重に構成し、フィーダの前端に塵埃を吸入する吸入口を備え、この吸入口において吸入した塵埃を外壁の間に送り込み、外壁を介して脱穀装置に送り込むように構成してある。
【００１２】
（作用）
本発明の第３特徴によると、吸入口に吸入された塵埃をフィーダの外壁を介して脱穀装置に送り込むように構成してあるので、一旦、吸入口に吸入された塵埃を、フィーダの外壁を介して脱穀装置まで移送することができ、塵埃は機体の前方側に排出されずに、脱穀装置を介して機体の後方に排出される。したがって、吸入された塵埃が機体前方側で再び舞い上がるおそれが低減する。
吸入口に吸入された塵埃を、フィーダの外壁を介して脱穀装置に送り込むように構成してあるので、吸入された塵埃を刈取穀稈から分離された状態で脱穀装置まで移送する経路が確保されると同時に、塵埃の移送経路を構成する外壁の一部がフィーダの外壁の一部と共有することになる。
また、フィーダの外壁の形状に沿った塵埃の移送経路が得られることにもなるので、吸入口から脱穀装置に至るまでの略直線的な移送経路が確保されることになる。したがって、吸入口から脱穀装置に至るまでの移送経路において、塵埃の移送が円滑に行われる。
【００１３】
（効果）
本発明の第３特徴によると、吸入された塵埃が機体前方側で再び舞い上がるおそれが低減することになるので、塵埃によって前方の視界が遮られることが少なくなり、作業性が向上する。
また、吸入された塵埃を脱穀装置まで移送するための構成を新たに設ける必要がないので、部品点数の低減が図られ、構成の簡素化による設計効率の向上及びコスト上昇の抑制が図られる。
また、塵埃の移送経路を構成する外壁の一部がフィーダの外壁の一部と共有することになるので、部品点数の低減が図られ、構成の簡素化による設計効率の向上、コスト上昇の抑制が図られる。
【発明を実施するための最良の形態】
【００１４】
図１及び図２に、刈り取り穀稈の全稈を投入して脱穀処理する汎用のコンバインが示されている。このコンバインは、左右一対のクローラ走行装置１で走行する走行機体２に、脱穀装置３と穀粒回収タンク４とが左右に並列して搭載されるとともに、穀粒回収タンク４の前方に運転キャビン５が設置され、かつ、脱穀装置３の前端部に支点Ｐ周りに上下揺動自在に装着した穀稈搬送用のフィーダ６が油圧シリンダ７によって駆動昇降されるよう構成され、このフィーダ６の前端に刈取前処理部（本発明の刈取部に相当）８が一体連結されている。また、キャビン５内には運転座席９が備えられるとともに、この運転座席９の後部寄り下方に位置させてエンジン１０が、その出力部を機体内方に位置させた横置き状態で配備されている。
【００１５】
刈り取り前処理部８は、植立穀稈を引起こしながら機体後方に掻込む回転リール１１、掻込まれた穀稈を刈取るバリカン型の刈り取り装置１２、刈取った穀稈を後方に載置搬送するベルト式のフロントコンベア１３、刈り取り穀稈を刈り幅の一箇所に集めるオーガ１４、等を備えて構成されており、図４に示すように、フィーダ６には、オーガ１４で集めた刈り取り穀稈を脱穀装置３の扱室前端部に掻き上げ供給するスラット型のコンベア１５がテンションローラ３５、フィーダ始点輪体３６及びフィーダ駆動輪体３７を巻回するように内装されている。
【００１６】
図３に示すように、脱穀装置３は、フィーダ６の終端に連通された扱室１６の前後側壁に亘って機体前後方向水平に扱胴１７が軸支され、扱室１６の下方に揺動選別及び風選別を行う選別部１８が配備され、扱室１６から選別部１８に処理物を漏下供給する受網（コンケーブ）１９が扱胴１７の下側に沿って配設された構造となっており、扱室１６はその前部が選別部１８の前壁より前方に張出されている。そして、脱穀装置３の左側面から見て、エンジン１０が扱室１６の前方張出し部分の下方に位置し、かつ、エンジン１０の機体内方側の一部が扱室前方張出し部分の下方空間に入り込むよう構成されている。
【００１７】
扱胴１７は、円筒状の直胴部分１７Ａの始端部に先細りのテーパー胴部分１７Ｂを連設して構成されており、このテーパー胴部分１７Ｂに２条の螺旋状の掻込み羽根２０が設けられるとともに、直胴部分１７Ａの外周面に螺旋扱歯２１が取付けられ、かつ、この螺旋扱歯２１に独立扱歯２２が周方向に所定間隔おきに取付けられている。
【００１８】
選別部１８には、揺動選別ケース２３、唐箕２４、粗選用の補助ブロア２５、１番物回収用の横送りスクリューコンベア２６、２番物回収用の横送りスクリューコンベア２７、２番風選用の補助ブロア２８、等が設けられ、受網１９から漏下供給された脱穀処理物が揺動選別ケース２３により後方に揺動移送されながら篩い選別及び風選別処理を受け、選別回収された穀粒が横送りスクリューコンベア２６及び縦送りスクリューコンベア２９を介して穀粒回収タンク４に揚送されるとともに、選別不十分な２番物が横送りスクリューコンベア２７及び縦送りスクリューコンベア３０を介して揺動選別ケース２３の前部に還元供給されて再び選別処理を受けるようになっている。また、選別部１８の後方には、扱室１６の終端から排出されたワラ屑類を細断するチョッパー３１と、このチョッパー３１の上方にあって、選別部終端付近のゴミを吸引してチョッパー３１の細断ワラ放出経路に上方から吹き下ろす排塵ブロア３２が配備されている。
【００１９】
図２，図４，図５，図６に示すように、フィーダ６の左右の側壁３３（本発明の外壁に相当）は二重構造となっており、左右の内壁３３ｂとそれぞれの外側に位置する左右の外壁３３ａとで構成されている。二重の側壁３３ａ及び３３ｂとフィーダ６の上面６Ｕ及び下面６Ｄとによって、壁間３３ｃ（本発明の外壁の間に相当）を通路とするダクト３４が構成されている。すなわち、フィーダ６の左右の両側面にはフィーダ６の搬送経路に沿ってダクト３４が隣接した状態になっている。
【００２０】
図５，図６に示すように、ダクト３４の前端である吸入口３４ＩＮは刈取前処理部８の後面に位置しており、フィーダ６と刈取前処理部８との連結部分である刈取前処理部８の後面に吸引口３４ＩＮを備えた状態になっている。図７に示すように、吸入口３４ＩＮは網状の吸入口カバー３９で覆われており、刈取穀稈などがダクト３４へ侵入することを防止する構造になっている。ダクト３４の後端である排出口３４ＯＵＴはフィーダ６の後端と前後位置を揃えた状態で、脱穀装置３の扱室１６の先端部に位置している。このように、ダクト３４は吸入口３４ＩＮと脱穀装置３とに亘って備えられている。
【００２１】
左右それぞれのダクト３４の内部には、ダクト３４の前後略中間位置において起風機構３８及び逆風防止板４０が備えられており、吸入口３４ＩＮから吸入した塵埃を含む吸入口周辺の空気を脱穀装置３にダクト３４を介して送り込むように構成されている。逆風防止板４０はダクトの幅に合わせた屈曲した板状の部材からなり、塵埃の移送方向と逆向きの気流を防ぐために設けてある。起風機構３８は、回転羽根３８ａ，駆動モータ３８ｂ，ギヤ機構３８ｃで構成されている。回転羽根３８ａは、機体左右方向の回転軸芯周りに側面視で放射状に複数の板体を有した構造になっており、ダクト３４に内装されている。ダクト３４の外壁３３ａの側方に突設したギヤ機構３８ｃを介して、駆動モータ３８ｂにより回転羽根３８ａを回転させることで、ダクト３４の内部（壁間３３ｃ）に吸入口３４ＩＮから脱穀装置３へ向かう気流を発生させることができる。
【００２２】
以上のような構成により、フィーダ６の入り口部分及びその周辺の塵埃を、フィーダ６の二重の側壁３３の壁間３３ｃ、つまりダクト３４を介して脱穀装置３に送り込むことができる。一方、脱穀装置３の内部では穀粒選別のための選別風及び、選別部終端付近のゴミを吸引してチョッパー３１の細断ワラ放出経路に上方から吹き下ろす排塵ブロア３２による排出風が存在するので、脱穀装置３の前端部にダクト３４の排出口３４ＯＵＴを連結することで、これらの気流とダクト３４を流れる気流とが連続し、一連の風路が構成されることになる。したがって、刈取前処理部８の周辺の塵埃を吸引口３４ＩＮから吸入すれば、連続した気流により機体後方に塵埃を移送することができ、機体後端に位置する排塵ブロア３２を介して機外に排出される。
【００２３】
このように、収穫作業の支障となり得る刈取前処理部８の周辺に立ち込める塵埃を効果的に機体後方に移送・排出することができるので、作業環境の改善による作業能率の向上が図られる。
【００２４】
なお、起風機構３８の配置位置は、ダクト３４の排出口３４ＯＵＴより脱穀装置３寄りで脱穀装置３に内装された状態で備えてもよいし、ダクト３４の吸入口３４ＩＮの前方直近に備えてもよい。
【００２５】
〔発明の実施の別形態〕
上述の〔発明を実施するための最良の形態〕におけるフィーダ６の構成は以下のようにしてもよい。
【００２６】
図８，図９に示すように、フィーダ６の上面６Ｕは二重構造となっており、上面６Ｕの外壁３３ａと内壁３３ｂとによりフィーダ６の上面６Ｕに壁間３３ｃを構成し、外壁３３ａの左右を断面視コの字状に形成して、壁間３３ｃの左右両側面を覆うことで、ダクト３４を構成している。ダクト３４はフィーダ６と左右幅を同じくし、フィーダ６の上方でフィーダ６に沿接した状態で構成されている。
【００２７】
ダクト３４内に気流を発生させる起風機構３８は、フィーダ６の左右方向の回転軸芯を持つ回転羽根３８ａと、ダクト３４の左側壁に突設したギヤ機構３８ｃを介して回転羽根３８ａを回転駆動する駆動モータ３８ｂとで構成されている。ダクト３４の吸引口３４ＩＮは網状の吸入口カバー３９で覆われており、刈取穀稈などがダクト３４へ侵入することを防止する構造になっている。
【００２８】
発明の実施の別形態として次のように構成してもよい。フィーダ６の入り口を吸入口３４ＩＮとし、気風機構３８を内装するフィーダ６をダクト３４として構成することで、フィーダ６の入り口から吸入した塵埃を、フィーダ６を介して脱穀装置３に送り込むことができる。
【図面の簡単な説明】
【００２９】
【図１】普通型コンバインの全体側面図
【図２】普通型コンバインの全体平面図
【図３】脱穀装置の縦断側面図
【図４】フィーダの縦断側面図
【図５】ダクトの縦断側面図
【図６】フィーダ及びダクトの平面図
【図７】ダクトの吸入口の正面図
【図８】発明の実施の別形態でのフィーダ及びダクトの縦断側面図
【図９】発明の実施の別形態でのフィーダ及びダクトの縦断正面図
【符号の説明】
【００３０】
３        脱穀装置
６        フィーダ
８        刈取部
３３      外壁
３３ｃ    外壁の間
３４      ダクト
３４ＩＮ  吸入口
【図１】
2005218392.tif 000003
【図２】
2005218392.tif 000004
【図３】
2005218392.tif 000005
【図４】
2005218392.tif 000006
【図５】
2005218392.tif 000007
【図６】
2005218392.tif 000008
【図７】
2005218392.tif 000009
【図８】
2005218392.tif 000010
【図９】
2005218392.tif 000011